【手続補正書】
【提出日】平成19年2月1日(2007.2.1)
【手続補正１】
【補正対象書類名】明細書
【補正対象項目名】特許請求の範囲
【補正方法】変更
【補正の内容】
【特許請求の範囲】
【請求項１】  被写体から透過したＸ線を２次元的にサンプリングすることにより画像を取得する画像取得装置において、
前記被写体を透過したＸ線から散乱線を除去する散乱線除去グリッドと、
前記散乱線除去グリッドによって散乱線が除去されたＸ線を２次元的にサンプリングすることにより画像を取得する画像取得手段とを有し、
前記散乱線除去グリッドの間隔は、前記画像取得手段によって取得される画像の前記散乱線除去グリッドに起因する縞の空間周波数が前記画像取得手段によってサンプリングされるサンプリング周波数の４０％以下となる間隔であることを特徴とする画像取得装置。
【請求項２】  前記散乱線除去グリッドに起因する縞の空間周波数はサンプリング周波数の３０％以上であることを特徴とする請求項１記載の画像取得装置。
【請求項３】  被写体から透過したＸ線を２次元的にサンプリングすることにより画像を取得する画像取得装置において、
前記被写体を透過したＸ線から散乱線を除去する散乱線除去グリッドと、
前記散乱線除去グリッドによって散乱線が除去されたＸ線を２次元的にサンプリングすることにより画像を取得する画像取得手段とを有し、
前記散乱線除去グリッドの間隔は、前記画像取得手段によって取得される画像の前記散乱線除去グリッドに起因する縞の空間周波数が前記画像取得手段によってサンプリングされるサンプリング周波数の３０％以上となる間隔であることを特徴とする画像取得装置。
【請求項４】  被写体から透過したＸ線を２次元的にサンプリングすることにより画像を取得する画像取得装置において、
前記被写体を透過したＸ線から散乱線を除去する散乱線除去グリッドと、
前記散乱線除去グリッドによって散乱線が除去されたＸ線を２次元的にサンプリングすることにより画像を取得する画像取得手段とを有し、
前記散乱線除去グリッドの間隔は、前記画像取得手段によってＸ線がサンプリングされる間隔が１／ｆｓ［ｍｍ］である場合（ｆｓは任意の正の数）、前記画像取得手段によって取得される画像の散乱線除去グリッドに起因する縞の空間周波数が、ｎを０以上の整数としたときに、ｆｓ（ｎ＋０．３）〜ｆｓ（ｎ＋０．４）もしくはｆｓ（ｎ＋０．６）〜ｆｓ（ｎ＋０．８）［ｃｙｃ／ｍｍ］になる間隔であることを特徴とする画像取得装置。
【請求項５】  前記縞の空間周波数が３〜４、もしくは６〜７［ｃｙｃ／ｍｍ］になることを特徴とする請求項４記載の画像取得装置。
【請求項６】  被写体から透過したＸ線を画像取得手段によって２次元的にサンプリングすることにより画像を取得する画像取得方法において、
前記画像取得手段によって取得される画像の散乱線除去グリッドに起因する縞の空間周波数が、前記画像取得手段によってサンプリングされるサンプリング周波数の４０％以下になるように間隔が設定された散乱線除去グリッドを用いて、前記被写体から透過したＸ線から散乱線を除去する除去ステップと、
前記除去ステップにおいて散乱線が除去されたＸ線から前記画像取得手段が画像を取得する画像取得ステップとを有することを特徴とする画像取得方法。
【請求項７】  被写体から透過したＸ線を画像取得手段によって２次元的にサンプリングすることにより画像を取得する画像取得方法において、
前記画像取得手段によって取得される画像の散乱線除去グリッドに起因する縞の空間周波数が、前記画像取得手段によってサンプリングされるサンプリング周波数の３０％以上になるように間隔が設定された散乱線除去グリッドを用いて、前記被写体から透過したＸ線から散乱線を除去する除去ステップと、
前記除去ステップにおいて散乱線が除去されたＸ線から前記画像取得手段が画像を取得する画像取得ステップとを有することを特徴とする画像取得方法。
【請求項８】  被写体から透過したＸ線を画像取得手段によって２次元的にサンプリングすることにより画像を取得する画像取得方法において、
前記画像取得手段によってＸ線がサンプリングされる間隔が１／ｆｓ［ｍｍ］である場合（ｆｓは任意の正の数）、前記画像取得手段によって取得される画像の散乱線除去グリッドに起因する縞の空間周波数が、ｎを０以上の整数としたときに、ｆｓ（ｎ＋０．３）〜ｆｓ（ｎ＋０．４）もしくはｆｓ（ｎ＋０．６）〜ｆｓ（ｎ＋０．８）［ｃｙｃ／ｍｍ］になるように間隔が設定された散乱線除去グリッドを用いて前記被写体から透過したＸ線から散乱線を除去する除去ステップと、
前記除去ステップにおいて散乱線が除去されたＸ線から前記画像取得手段が画像を取得する画像取得ステップとを有することを特徴とする画像取得方法。
【手続補正２】
【補正対象書類名】明細書
【補正対象項目名】００１６
【補正方法】変更
【補正の内容】
【００１６】
【課題を解決するための手段】
本発明の画像取得装置は、被写体から透過したＸ線を２次元的にサンプリングすることにより画像を取得する画像取得装置において、前記被写体を透過したＸ線から散乱線を除去する散乱線除去グリッドと、前記散乱線除去グリッドによって散乱線が除去されたＸ線を２次元的にサンプリングすることにより画像を取得する画像取得手段とを有し、前記散乱線除去グリッドの間隔は、前記画像取得手段によって取得される画像の前記散乱線除去グリッドに起因する縞の空間周波数が前記画像取得手段によってサンプリングされるサンプリング周波数の４０％以下となる間隔であることを特徴とする。
【手続補正３】
【補正対象書類名】明細書
【補正対象項目名】００１７
【補正方法】変更
【補正の内容】
【００１７】
また、本発明の画像取得装置は、被写体から透過したＸ線を２次元的にサンプリングすることにより画像を取得する画像取得装置において、前記被写体を透過したＸ線から散乱線を除去する散乱線除去グリッドと、前記散乱線除去グリッドによって散乱線が除去されたＸ線を２次元的にサンプリングすることにより画像を取得する画像取得手段とを有し、前記散乱線除去グリッドの間隔は、前記画像取得手段によって取得される画像の前記散乱線除去グリッドに起因する縞の空間周波数が前記画像取得手段によってサンプリングされるサンプリング周波数の３０％以上となる間隔であることを特徴とする。
【手続補正４】
【補正対象書類名】明細書
【補正対象項目名】００１８
【補正方法】変更
【補正の内容】
【００１８】
また、本発明の画像取得装置は、被写体から透過したＸ線を２次元的にサンプリングすることにより画像を取得する画像取得装置において、前記被写体を透過したＸ線から散乱線を除去する散乱線除去グリッドと、前記散乱線除去グリッドによって散乱線が除去されたＸ線を２次元的にサンプリングすることにより画像を取得する画像取得手段とを有し、前記散乱線除去グリッドの間隔は、前記画像取得手段によってＸ線がサンプリングされる間隔が１／ｆｓ［ｍｍ］である場合（ｆｓは任意の正の数）、前記画像取得手段によって取得される画像の散乱線除去グリッドに起因する縞の空間周波数が、ｎを０以上の整数としたときに、ｆｓ（ｎ＋０．３）〜ｆｓ（ｎ＋０．４）もしくはｆｓ（ｎ＋０．６）〜ｆｓ（ｎ＋０．８）［ｃｙｃ／ｍｍ］になる間隔であることを特徴とする。
【手続補正５】
【補正対象書類名】明細書
【補正対象項目名】００１９
【補正方法】変更
【補正の内容】
【００１９】
また、本発明の画像取得方法は、被写体から透過したＸ線を画像取得手段によって２次元的にサンプリングすることにより画像を取得する画像取得方法において、前記画像取得手段によって取得される画像の散乱線除去グリッドに起因する縞の空間周波数が、前記画像取得手段によってサンプリングされるサンプリング周波数の４０％以下になるように間隔が設定された散乱線除去グリッドを用いて、前記被写体から透過したＸ線から散乱線を除去する除去ステップと、前記除去ステップにおいて散乱線が除去されたＸ線から前記画像取得手段が画像を取得する画像取得ステップとを有することを特徴とする。
【手続補正６】
【補正対象書類名】明細書
【補正対象項目名】００２０
【補正方法】変更
【補正の内容】
【００２０】
また、本発明の画像取得方法は、被写体から透過したＸ線を画像取得手段によって２次元的にサンプリングすることにより画像を取得する画像取得方法において、前記画像取得手段によって取得される画像の散乱線除去グリッドに起因する縞の空間周波数が、前記画像取得手段によってサンプリングされるサンプリング周波数の３０％以上になるように間隔が設定された散乱線除去グリッドを用いて、前記被写体から透過したＸ線から散乱線を除去する除去ステップと、前記除去ステップにおいて散乱線が除去されたＸ線から前記画像取得手段が画像を取得する画像取得ステップとを有することを特徴とする。
【手続補正７】
【補正対象書類名】明細書
【補正対象項目名】００２１
【補正方法】変更
【補正の内容】
【００２１】
また、本発明の画像取得方法は、被写体から透過したＸ線を画像取得手段によって２次元的にサンプリングすることにより画像を取得する画像取得方法において、前記画像取得手段によってＸ線がサンプリングされる間隔が１／ｆｓ［ｍｍ］である場合（ｆｓは任意の正の数）、前記画像取得手段によって取得される画像の散乱線除去グリッドに起因する縞の空間周波数が、ｎを０以上の整数としたときに、ｆｓ（ｎ＋０．３）〜ｆｓ（ｎ＋０．４）もしくはｆｓ（ｎ＋０．６）〜ｆｓ（ｎ＋０．８）［ｃｙｃ／ｍｍ］になるように間隔が設定された散乱線除去グリッドを用いて前記被写体から透過したＸ線から散乱線を除去する除去ステップと、前記除去ステップにおいて散乱線が除去されたＸ線から前記画像取得手段が画像を取得する画像取得ステップとを有することを特徴とする。